(57)【特許請求の範囲】
【請求項１】
建物に設けられた窓枠と、前記窓枠の屋外側に設けられ、上下に間隔を隔てて配置された上材及び下材を有する屋外ユニットと、を有する屋外ユニットを備えた建具であって、
前記窓枠は、当該窓枠を構成する下窓枠に下係合部と上窓枠に上係合部とを有し、
前記屋外ユニットは、前記下材に前記下係合部と係合する下鉤部を有し、
前記上材に、前記窓枠との対向部に弾性を有する止水部材と、
前記上材に保持される被保持部、及び、前記上窓枠に設けられた上係合部に押圧されることにより弾性変形して前記上係合部の屋内側にて当該上係合部と係合するフック部と有し、前記フック部が前記上係合部と係合した状態で、前記上係合部との間にて前記上係合部を挟持するとともに前記止水部材を押圧する弾性係合部材と、
前記上材にねじにて固定される平坦面部、及び、前記ねじが締め込まれる際に前記上係合部の屋内側にて当該上係合部と係合する鉛直板部とを有し、前記ねじが締め込まれた状態で、前記止水部材との間に前記上係合部を挟持するとともに前記止水部材を押圧する固定係合部材と、を備えていることを特徴とする屋外ユニットを備えた建具。
【請求項２】
前記弾性係合部材は、前記上材の見付け方向における両端部に設けられていることを特徴とする請求項１に記載の屋外ユニットを備えた建具。
【請求項３】
前記固定係合部材は、前記弾性係合部材の間に見付け方向に沿って設けられていることを特徴とする請求項１または請求項２に記載の屋外ユニットを備えた建具。
【請求項４】
上下に間隔を隔てて配置された上材及び下材を有する屋外ユニットを、建物に設けられた窓枠の屋外側に取り付ける屋外ユニットの取付方法であって、
前記下材に設けられた下鉤部を、前記窓枠を構成する下窓枠に設けられた下係合部に屋外側から係合させ、
前記下鉤部と前記下係合部との係合状態を維持しつつ前記屋外ユニットを屋外側から回動させ、前記上材に設けられた弾性係合部材を、前記窓枠を構成する上窓枠に設けられた上係合部に押圧することにより弾性変形させて前記上係合部の屋内側にて当該上係合部と係合させることにより、当該上材の前記窓枠との対向部に設けられた弾性を有する止水部材との間に前記上係合部を挟持するとともに前記止水部材を押圧して前記屋外ユニットを前記窓枠に保持させ、
前記上材にねじにて固定される固定係合部材を、屋内側からの操作により前記ねじを締め込みつつ前記上係合部の屋内側にて当該上係合部と係合させることにより、前記止水部材との間に前記上係合部を挟持するとともに前記止水部材を押圧して前記上材に固定することにより前記屋外ユニットを前記窓枠に固定することを特徴とする屋外ユニットの取付方法。
【請求項５】
前記固定係合部材は、前記屋外ユニットが回動された際に前記上係合部と干渉しない位置に、前記ねじを緩めた状態で予め前記上材に支持されていることを特徴とする請求項４に記載の屋外ユニットの取付方法。
【発明の詳細な説明】
【技術分野】
【０００１】
本発明は、屋外ユニットを備えた建具及びその屋外ユニットの取付方法に関する。
【背景技術】
【０００２】
窓枠に取り付けられる屋外ユニットの取付方法としては、例えば屋外ユニットとしての網戸の下枠部材をサッシの下枠側に係合させ、網戸の上枠部材をサッシの上枠側に挟持片を用いてねじ止めする網戸の取付方法が知られている（例えば、特許文献１参照）。この網戸の取付方法は、網戸の下枠部材をサッシの下枠側に係合させたうえで、上枠部材に設けられた当接部をサッシの上部最外側の垂下縁の外面に当接させ、固定するための挟持片と当接部との間に垂下縁を挟持させて挟持片を上枠部材にねじにて螺着している。
【特許文献１】特許第３２２４７１３号明細書
【発明の開示】
【発明が解決しようとする課題】
【０００３】
しかしながら、上記従来の網戸の取付方法は、網戸の下枠部材をサッシの下枠側に係合させて、上枠部材の当接部と当接させたサッシの上部最外側の垂下縁を挟持片にて挟持させ、当該挟持片を上枠部材に螺着するので、挟持片を螺着する前は、網戸は窓枠側に保持されていないため、作業者は、網戸を支えつつ挟持片を螺着しなければならず、一人での取付は容易ではないという課題がある。
【０００４】
本発明は、かかる課題に鑑みてなされたものであり、その目的とするところは、一人の作業者にて容易に取り付けることが可能な屋外ユニットを備えた建具及びその屋外ユニットの取付方法を提供することにある。
【課題を解決するための手段】
【０００５】
かかる目的を達成するために本発明の屋外ユニットを備えた建具は、建物に設けられた窓枠と、前記窓枠の屋外側に設けられ、上下に間隔を隔てて配置された上材及び下材を有する屋外ユニットと、を有する屋外ユニットを備えた建具であって、前記窓枠は、当該窓枠を構成する下窓枠に下係合部と上窓枠に上係合部とを有し、前記屋外ユニットは、前記下材に前記下係合部と係合する下鉤部を有し、前記上材に、前記窓枠との対向部に弾性を有する止水部材と、前記上材に保持される被保持部、及び、前記上窓枠に設けられた上係合部に押圧されることにより弾性変形して前記上係合部の屋内側にて当該上係合部と係合するフック部と有し、前記フック部が前記上係合部と係合した状態で、前記上係合部との間にて前記上係合部を挟持するとともに前記止水部材を押圧する弾性係合部材と、前記上材にねじにて固定される平坦面部、及び、前記ねじが締め込まれる際に前記上係合部の屋内側にて当該上係合部と係合する鉛直板部とを有し、前記ねじが締め込まれた状態で、前記止水部材との間に前記上係合部を挟持するとともに前記止水部材を押圧する固定係合部材と、を備えていることを特徴とする屋外ユニットを備えた建具である。
【０００６】
このような屋外ユニットを備えた建具によれば、下鉤部と下係合部とを係合させ、屋外ユニットの上材に設けられた弾性係合部材を、窓枠の上窓枠に設けられた上係合部に押圧し弾性変形させて上係合部に容易に係合させることが可能である。このため、窓枠に屋外ユニットを保持させることが可能である。また、固定係合部材を固定する際には、屋外ユニットが窓枠に保持されるので、作業者は屋外ユニットを支えることなく、ねじを締め込むことが可能である。このため、作業が容易であるとともに、安定した状態で確実にねじを締め込んでより強固に屋外ユニットを固定することが可能である。すなわち、一人の作業者にて容易に取り付けることが可能な屋外ユニットを備えた建具を提供することが可能である。
また、弾性係合部材及び固定係合部材が上係合部と係合されることにより、窓枠と屋外ユニットとの対向部に介在された弾性を有する止水部材が押圧されるので、屋外ユニットを窓枠に取り付けるだけで、窓枠と屋外ユニットとの間から屋内側に水等が漏れることを防止することが可能である。
【０００７】
かかる屋外ユニットを備えた建具であって、前記弾性係合部材は、前記上材の見付け方向における両端部に設けられていることが望ましい。  
このような屋外ユニットを備えた建具によれば、前記上材の見付け方向における両端部に設けられた弾性係合部材により、屋外ユニットが窓枠の両端側にて保持されるので、屋外ユニットを安定させて、より確実に保持させることが可能である。
【０００８】
かかる屋外ユニットを備えた建具であって、前記固定係合部材は、前記弾性係合部材の間に見付け方向に沿って設けられていることが望ましい。  
このような屋外ユニットを備えた建具によれば、屋外ユニットは、弾性係合部材の間に見付け方向に沿って設けられた固定係合部材により、弾性係合部材の間の広い領域にて固定されるので、屋外ユニットを確実に、より強固に固定することが可能である。
【００１０】
また、屋外ユニットの取付方法は、上下に間隔を隔てて配置された上材及び下材を有する屋外ユニットを、建物に設けられた窓枠の屋外側に取り付ける屋外ユニットの取付方法であって、前記下材に設けられた下鉤部を、前記窓枠を構成する下窓枠に設けられた下係合部に屋外側から係合させ、前記下鉤部と前記下係合部との係合状態を維持しつつ前記屋外ユニットを屋外側から回動させ、前記上材に設けられた弾性係合部材を、前記窓枠を構成する上窓枠に設けられた上係合部に押圧することにより弾性変形させて前記上係合部の屋内側にて当該上係合部と係合させることにより、当該上材の前記窓枠との対向部に設けられた弾性を有する止水部材との間に前記上係合部を挟持するとともに前記止水部材を押圧して前記屋外ユニットを前記窓枠に保持させ、前記上材にねじにて固定される固定係合部材を、屋内側からの操作により前記ねじを締め込みつつ前記上係合部の屋内側にて当該上係合部と係合させることにより、前記止水部材との間に前記上係合部を挟持するとともに前記止水部材を押圧して前記上材に固定することにより前記屋外ユニットを前記窓枠に固定することを特徴とする屋外ユニットの取付方法である。
【００１１】
このような屋外ユニットの取付方法によれば、屋外ユニットの上材に設けられた弾性係合部材は、下鉤部と下係合部との係合状態を維持しつつ屋外ユニットを回動させることにより、窓枠の上窓枠に設けられた上係合部に押圧されて弾性変形し上係合部に係合するので、屋外ユニットを取り付けようとする作業者は、下鉤部と下係合部とを係合させて屋外ユニットを回動させるだけで、窓枠に屋外ユニットを保持させることが可能である。そして、下鉤部と下係合部とを係合させる作業及び屋外ユニットを回動させて窓枠に保持させる作業は屋外側からの作業であり、ねじにて固定係合部材を上材に固定する作業は屋内側の作業となるので、屋外ユニットを取り付ける際には、屋外から屋内に作業者が移動しなければならないが、窓枠に屋外ユニットが保持されるので、作業者は容易に作業場所を移動することが可能である。また、固定係合部材を固定する際には、屋外ユニットは窓枠に保持されているので、作業者は屋外ユニットを支えることなく、ねじを締め込むことが可能である。このため、作業が容易であるとともに、安定した状態で確実にねじを締め込んでより強固に屋外ユニットを固定することが可能である。すなわち、一人の作業者にて容易に取り付けることが可能な屋外ユニットの取付方法を提供することが可能である。
【００１２】
かかる屋外ユニットの取付方法であって、前記固定係合部材は、前記屋外ユニットが回動された際に前記上係合部と干渉しない位置に、前記ねじを緩めた状態で予め前記上材に支持されていることが望ましい。  
このような屋外ユニットの取付方法によれば、屋外ユニットの上部側に設けられる固定係合部材が、ねじを緩めた状態で予め上材に支持されているので、窓枠に保持された屋外ユニットに無理な体勢で固定係合部材を取り付ける必要はない。また、予め作業しやすい状態にて固定係合部材を仮止めしておき、窓枠に保持された後には、ねじを締めるだけなので、容易に屋外ユニットを固定することが可能である。特に、窓枠に保持された状態では、屋外ユニットは、まだ安定していないので、窓枠に保持された後には、ねじを締める程度の作業であることが望ましい。さらに、ねじが緩められた状態では、屋外ユニットを回動しても固定係合部材が上係合部と干渉しない位置に配置されているので、弾性係合部材を上係合部と係合させる際に、固定係合部材が弾性係合部材と上係合部との係合の妨げになることなく容易に弾性係合部材と上係合部とを係合させることが可能である。
【発明の効果】
【００１３】
本発明によれば、一人の作業者にて容易に取り付けることが可能な屋外ユニットを備えた建具及びその屋外ユニットの取付方法を提供することが可能である。
【発明を実施するための最良の形態】
【００１４】
以下、本発明の一実施形態に係る屋外ユニットを備えた建具及びその屋外ユニットの取付方法について、図を参照して説明する。
【００１５】
本実施形態の建具１０は、図１に示すように、建物１の外壁３に設けられた窓枠２０と、窓枠２０に設けられた引き違い障子３０と、屋外側から窓枠２０に取り付けられる屋外ユニット５０とを有している。
【００１６】
窓枠２０は、建物１の内外を連通する開口１ａを形成し、引き違い障子３０を案内するレール２１ａ、２２ａを備えた上下の上窓枠２１、下窓枠２２と、左右の縦窓枠２３とを有するアルミニウム製の押出成型部材である。窓枠２０は、見込み方向において開口１ａが形成されている外壁３の中央より屋外側に配置され、屋内側は膳板１ｂと額縁１ｃとが設けられている。
【００１７】
窓枠２０の屋外側の部位は全周に亘り外壁３より屋外側に突出されており、上窓枠２１、下窓枠２２、左右の縦窓枠２３は、いずれも最も屋外側の部位が、ほぼ同一平面にて繋がるように、開口１ａの内側に向かって突出された突出部２１ｂ、２２ｂ、２３ｂを有している。そして、上窓枠２１の突出部２１ｂは、屋外ユニット５０が有する上材５２と係合する上係合部であり、下窓枠２２の突出部２２ｂは屋外ユニット５０が有する下材５４と係合する下係合部である。このため以下の説明では、上窓枠２１の突出部２１ｂを上係合部２１ｂと、下窓枠２２の突出部２２ｂを下係合部２２ｂともいう。
【００１８】
引き違い障子３０は、上窓枠２１と下窓枠２２とに見込み方向に並べて配置された見付け方向に沿う２対のレール２１ａ、２２ａにそれぞれ１枚ずつ設けられ、窓枠２０の内側となる開口１ａを開閉可能に設けられている。
【００１９】
屋外ユニット５０は、図２に示すように、上下に間隔を隔てて配置された上材５２及び下材５４と、上材５２と下材５４との両端部を上下に連結する２つの縦材５６とを有している。上材５２、下材５４、２つの縦材５６は、いずれもアルミニウム製の押出成型部材であり、上材５２、下材５４、２つの縦材５６とが連結されて屋外ユニット５０の枠をなす屋外枠５８が形成されている。
【００２０】
また、上材５２と２つの縦材５６とには、建物１側の周縁部に、弾性変形可能なゴム製の止水部材４０が取り付け可能な凹部５２ａが設けられており、屋外枠５８として組み立てられた後に、上材５２及び２つの縦材５６に亘って止水部材４０が嵌め付けられる。縦材５６の建物１側の縁部に設けられた凹部は図示していない。嵌め付けられた止水部材４０は、上材５２及び２つの縦材５６よりも僅かに建物１側に突出するように構成されている。
【００２１】
屋外枠５８と窓枠２０との見付け方向における幅及び高さはほぼ同じに形成されており、屋外ユニット５０を窓枠２０に取り付けた際に、屋外枠５８の周縁部に設けられた止水部材４０が、窓枠２０の突出部２１ｂ、２２ｂ、２３ｂと対面するように形成されている。このため、屋外ユニット５０を窓枠２０に取り付けると、止水部材４０が押圧されて弾性変形し、上材５２及び２つの縦材５６と上窓枠２１、縦窓枠２３の突出部２１ｂ、２３ｂとの間が、気密及び水密となる。また、下材５４の建物１側の縁部には、下窓枠２２の突出部２２ｂが下方から挿入可能な下鉤部５４ａが全長に亘って設けられている。
【００２２】
下鉤部５４ａは、上材５２及び２つの縦材５６の建物１側の縁部と見込み方向においてほぼ同じ位置にて上方に立設された立設部５４ｂと、立設部５４ｂと建物１方向に間隔を隔てて対面するように設けられた対面部５４ｃと、対面部５４ｃの下方にて下方に向かって立設部５４ｂとの距離が広くなるように形成された傾斜部５４ｄと、立設部５４ｂと対面部５４ｃとの上端を連結する連結部５４ｅとが繋がって形成されている。
【００２３】
屋外枠５８には、見込み方向におけるほぼ中央に、屋外枠５８の全域に網戸６０が設けられており、屋外枠５８の内部は、網戸６０により建物１側の領域と、屋外側の領域とに分けられている。屋外枠５８内の屋外側の領域には、回動自在に支持された複数のルーバー６２が、上下方向に互いに間隔を隔てて設けられており、ルーバー６２は見付け方向において屋外枠５８の幅とほぼ同じ長さに形成されている。また、屋外ユニット５０には、複数のルーバー６２を同時に回動するための操作部６４と回動機構（不図示）とが設けられている。
【００２４】
屋外枠５８の建物１側の領域には、見付け方向における上材５２の両端部側に設けられる弾性係合部材７０と、両端の弾性係合部材７０間に設けられる固定係合部材８０と、を取り付けるための係合部材保持部５２ｃ（図１）が設けられている。係合部材保持部５２ｃは、上材５２の見付け方向における全域に設けられ、弾性係合部材７０の被保持部７１、固定係合部材８０をねじ止めするためのプレートナット８８が収容される収容部５２ｄと、収容部５２ｄの屋外側に固定係合部材８０を回動可能に支持する支点となる回動支持部５２ｅとを有している。
【００２５】
弾性係合部材７０は、弾性を有する例えば樹脂製の射出成型部材であり、図３に示すように、上材５２に取り付けられた状態で、下面が平坦な平坦板部７２と、平坦板部７２の建物１側の縁から建物１側に延出され、建物１側に向かって上昇する傾斜面を有する傾斜板部７３と、傾斜板部７３の建物１側の縁から上方に立設されたフック部７４と、フック部７４の上端から下方に向かいつつ建物１側に向かう下方傾斜部７５と、平坦板部７２の上面側に設けられた被保持部７１と、を有している。フック部７４の屋外側の面は、図１に示すように上材５２の建物１側の縁部より僅かに建物１側に位置している。
【００２６】
また、屋外ユニット５０の下鉤部５４ａを、下係合部２２ｂに係合させ、下方傾斜部７５を上窓枠２１の上係合部２１ｂに当接させた状態では、フック部７４の上端部は上係合部２１ｂの下端より上方に位置し、下方傾斜部７５の下端は上係合部２１ｂの下端より下方に位置している（図６（ｂ）参照）。このため、屋外ユニット５０の上材５２側を建物１側にさらに移動させると、図６（ｃ）に示すように、上係合部２１ｂにより下方傾斜部７５が下方に押圧されることにより弾性係合部材７０が弾性変形し、フック部７４と下方傾斜部７５とが上係合部２１ｂを越えて上係合部２１ｂの建物１側に至り、上材５２に設けられた止水部材４０とフック部７４とにより上係合部２１ｂが挟持される。
【００２７】
固定係合部材８０は、上材５２の収容部５２ｄに収容されたプレートナット８８に螺合されるねじ４１にて固定されるアルミニウム製の押出成型部材である。図４に示すように、固定係合部材８０は、弾性係合部材７０の平坦板部７２及び傾斜板部７３とほぼ同じ断面を有する平坦面部８１と傾斜面部８２とを有している。また、固定係合部材８０は平坦面部８１の屋外側の縁から立設され上端側が建物１側に向かって円弧状に屈曲されて上材５２の回動支持部５２ｅに掛けられる回動フック部８３と、傾斜面部８２の建物１側の縁から立設された鉛直板部８４とを有している。鉛直板部８４は、固定係合部材８０がねじ４１にて固定された際に、上材５２の建物１側に設けられた止水部材４０との間にて上係合部２１ｂを挟持して対面するため、上係合部２１ｂとの干渉を避けるべく上係合部２１ｂの先端の形状に合わせて、鉛直板部８４の下端側に凹部８４ａが設けられている。また、固定係合部材８０には、平坦面部８１に収容部５２ｄに収容されたプレートナット８８に締め込んで固定係合部材８０を固定するための、見込み方向に長い長穴８１ａが形成されている。
【００２８】
屋外ユニット５０を窓枠２０に取り付ける際には、図５（ａ）に示すように、先ず、例えば、屋外ユニット５０を屋外側から持ち上げて、下材５４に設けられた下鉤部５４ａにて下係合部２２ｂを覆うように係合させる。このとき、屋外ユニット５０には、図６（ａ）、図７（a）に示すように、２つの弾性係合部材７０と、ねじ４１を緩めた状態の固定係合部材８０とが取り付けられている。
【００２９】
次に、下鉤部５４ａと下係合部２２ｂとを係合させつつ屋外ユニット５０を上材５２側が窓枠２０に近接する方向に回動させて、図６（b）に示すように、弾性係合部材７０の下方傾斜部７５を上係合部２１ｂに当接させる。このとき、固定係合部材８０が上係合部２１ｂと干渉しない位置まで、固定係合部材８０を固定するためのねじ４１は緩められている。
【００３０】
屋外ユニット５０を上材５２側が窓枠２０に近接する方向にさらに回動させることにより、上係合部２１ｂに下方傾斜部７５を押圧させて、図６（ｃ）に示すように弾性係合部材７０を弾性変形させ、図６（ｄ）に示すように上係合部２１ｂに係合させて屋外ユニット５０を窓枠２０に保持させる。この状態で、屋外ユニット５０は、窓枠２０に保持され作業者は屋外ユニット５０から手を離すことが可能となる。
【００３１】
次に作業者は、屋内側に回り、図７（ｂ）に示すように、緩められているねじ４１を締め込みつつ上係合部２１ｂに固定係合部材８０を図７（ｃ）に示すように係合させて、屋外ユニット５０を窓枠２０に固定する（図５（ｂ）参照）。このとき、上材５２と２つの縦材５６に設けられた止水部材４０が圧縮されて、上材５２及び２つの縦材５６と上窓枠２１、縦窓枠２３との間が気密及び水密となる。また、固定係合部材８０が固定されることにより、弾性係合部材７０の平坦板部７２と固定係合部材８０の平坦面部８１とが、弾性係合部材７０の傾斜板部７３と固定係合部材８０の傾斜面部８２とが僅かな隙間を介してほぼ同一平面を形成して連なる状態となる。
【００３２】
本実施形態の屋外ユニット５０を備えた建具１０によれば、下鉤部５４ａと下係合部２２ｂとを係合させ、屋外ユニット５０の上材５２に設けられた弾性係合部材７０を、窓枠２０の上窓枠２１に設けられた上係合部２１ｂに押圧し弾性変形させて上係合部２１ｂに容易に係合させることが可能である。このため、窓枠２０に屋外ユニット５０を保持させることが可能である。また、固定係合部材８０を固定する際には、屋外ユニット５０が窓枠２０に保持されるので、作業者は屋外ユニット５０を支えることなく、ねじ４１を締め込むことが可能である。このため、作業が容易であるとともに、安定した状態で確実にねじ４１を締め込んでより強固に屋外ユニット５０を固定することが可能である。すなわち、一人の作業者にて容易に取り付けることが可能な屋外ユニット５０を備えた建具１０を提供することが可能である。
【００３３】
また、上材５２の見付け方向における両端部に設けられた弾性係合部材７０により、屋外ユニット５０が窓枠２０の両端側にて保持されるので、屋外ユニット５０を安定させて、より確実に保持させることが可能である。
【００３４】
また、屋外ユニット５０は、弾性係合部材７０の間に見付け方向に沿って設けられた固定係合部材８０により、弾性係合部材７０の間の広い領域にて固定されるので、屋外ユニット５０を確実に、より強固に固定することが可能である。
【００３５】
また、弾性係合部材７０及び固定係合部材８０が上係合部２１ｂと係合されることにより、窓枠２０と屋外ユニット５０との対向部に介在された弾性を有する止水部材４０が押圧されるので、屋外ユニット５０を窓枠２０に取り付けるだけで、窓枠２０と屋外ユニット５０との間から屋内側に水等が漏れることを防止することが可能である。
【００３６】
また、本実施形態の屋外ユニット５０の取付方法によれば、屋外ユニット５０の上材５２に設けられた弾性係合部材７０は、下鉤部５４ａと下係合部２２ｂとの係合状態を維持しつつ屋外ユニット５０を回動させることにより、窓枠２０の上窓枠２１に設けられた上係合部２１ｂに押圧されて弾性変形し上係合部２１ｂと係合するので、屋外ユニット５０を取り付けようとする作業者は、下鉤部５４ａと下係合部２２ｂとを係合させて屋外ユニット５０を回動させるだけで、窓枠２０に屋外ユニット５０を保持させることが可能である。
【００３７】
そして、下鉤部５４ａと下係合部２２ｂとを係合させる作業及び屋外ユニット５０を回動させて窓枠に保持させる作業は屋外側からの作業であり、ねじ４１にて固定係合部材８０を上材５２に固定する作業は屋内側の作業となるので、屋外ユニット５０を取り付ける際には、屋外から屋内に作業者が移動しなければならないが、窓枠２０に屋外ユニット５０が保持されるので、作業者は容易に作業場所を移動することが可能である。
【００３８】
また、固定係合部材８０を固定する際には、屋外ユニット５０は窓枠２０に保持されているので、作業者は屋外ユニット５０を支えることなく、ねじ４１を締め込むことが可能である。このため、取り付け作業が容易であるとともに、安定した状態で確実にねじ４１を締め込んで、より強固に屋外ユニット５０を固定することが可能である。すなわち、一人の作業者にて容易に取り付けることが可能な屋外ユニット５０の取付方法を提供することが可能である。
【００３９】
また、屋外ユニット５０の上部側に設けられる固定係合部材８０が、ねじ４１を緩めた状態で予め上材５２に支持されているので、作業者は窓枠２０に保持された屋外ユニット５０に無理な体勢で固定係合部材８０を取り付ける必要はない。また、予め作業しやすい状態にて固定係合部材８０を仮止めしておき、窓枠２０に保持された後には、ねじ４１を締めるだけなので、容易に屋外ユニット５０を固定することが可能である。特に、窓枠２０に保持された状態では、屋外ユニット５０は、まだ安定した状態ではないため、窓枠２０に保持された後には、ねじ４１を締める程度の作業であることが望ましい。さらに、ねじ４１が緩められた状態では、屋外ユニット５０を回動しても固定係合部材８０が上係合部２１ｂと干渉しない位置に配置されているので、弾性係合部材７０を上係合部２１ｂと係合させる際に、固定係合部材８０が弾性係合部材７０と上係合部２１ｂとの係合の妨げになることなく容易に弾性係合部材７０と上係合部２１ｂとを係合させることが可能である。
【００４０】
上記実施形態においては、屋外ユニットがルーバーと網戸とを備えている例について説明したが、ルーバーのみや網戸のみを備えた屋外ユニットでも良く、上材と下材とを備えて窓枠の屋外側に取り付けられるユニットであれば、格子や鎧戸などを備えたユニットでも構わない。
【００４１】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４２】
【図１】本実施形態に係る建具の縦断面図である。
【図２】屋外ユニットを説明するための斜視図である。
【図３】弾性係合部材の斜視図である。
【図４】固定係合部材の斜視図である。
【図５】図５（ａ）は、屋外ユニットの取り付け動作を説明するための縦断面図である。図５（ｂ）は、窓枠に取り付けられた屋内ユニットを示す縦断面図である。
【図６】図６（ａ）は、回動される屋外ユニットに設けられた弾性係合部材の状態を示す縦断面図である。図６（ｂ）は、弾性係合部材の下方傾斜部が上係合部に当接された状態を示す縦断面図である。図６（ｃ）は、弾性係合部材が弾性変形している状態を示す縦断面図である。図６（ｄ）は、弾性係合部材が上係合部に係合された状態を示す縦断面図である。
【図７】図７（ａ）は、回動される屋外ユニットに設けられた固定係合部材の状態を示す縦断面図である。図７（ｂ）は、ねじが締め込まれる前の固定係合部材の状態を示す縦断面図である。図７（ｃ）は、ねじが締め込まれた後の固定係合部材の状態を示す縦断面図である。
【符号の説明】
【００４３】
１  建物、１ａ  開口、１０  建具、２０  窓枠、２１  上窓枠、
２１ｂ  上係合部（突出部）、２２  下窓枠、２２ｂ  下係合部（突出部）、
２３  縦窓枠、３０  障子、４０  止水部材、５０  屋外ユニット、５２  上材、
５４  下材、５４ａ  下鉤部、５６  縦材、５８  屋外枠、７０  弾性係合部材、
８０  固定係合部材、８８  プレートナット
【図１】
0005128307.tif 000002
【図２】
0005128307.tif 000003
【図３】
0005128307.tif 000004
【図４】
0005128307.tif 000005
【図５】
0005128307.tif 000006
【図６】
0005128307.tif 000007
【図７】
0005128307.tif 000008